(57)【要約】【課題】フィルタを用いることなく、スプリアスによって生じる信号の歪みを補償する。【解決手段】通信装置は、送信期間に送信信号を送信する送信部と、受信期間に受信信号を受信する受信部と、を有している。送信部は、送信信号を変調する変調器と、送信側歪補償部と、を有している。送信側歪補償部は、送信期間以外の期間において、変調器のスプリアス特性を測定し、送信期間において、変調器のスプリアス特性の逆特性を表す補償信号を、変調器に入力される前の送信信号に加算する。受信部は、受信信号を復調する復調器と、受信側歪補償部と、を有している。受信側歪補償部は、受信期間以外の期間において、復調器のスプリアス特性を測定し、受信期間において、復調器のスプリアス特性の逆特性を表す補償信号を、復調器から出力された受信信号に加算する。【選択図】図１
2018164183.tif 000002
【特許請求の範囲】
【請求項１】
送信期間に送信信号を送信する送信部と、
受信期間に受信信号を受信する受信部と、
を有し、
前記送信部は、
前記送信信号を変調する変調器と、
前記送信期間以外の期間において、前記変調器のスプリアス特性を測定し、前記送信期間において、前記変調器のスプリアス特性の逆特性を表す補償信号を、前記変調器に入力される前の前記送信信号に加算する送信側歪補償部と、
を有し、
前記受信部は、
前記受信信号を復調する復調器と、
前記受信期間以外の期間において、前記復調器のスプリアス特性を測定し、前記受信期間において、前記復調器のスプリアス特性の逆特性を表す補償信号を、前記復調器から出力された前記受信信号に加算する受信側歪補償部と、
を有することを特徴とする通信装置。
【請求項２】
前記受信側歪補償部は、
前記受信期間以外の期間において、前記復調器の入力が終端されたときの前記復調器の出力に基づいて、前記復調器のスプリアス特性を測定し、
前記受信期間において、前記復調器のスプリアス特性の逆特性を表す補償信号を、前記復調器から出力された前記受信信号に加算し、
前記送信部は、
前記変調器の出力からフィードバックされた信号を復調する送信側復調器、
を更に有し、
前記送信側歪補償部は、
前記送信期間以外の期間において、前記送信側復調器の入力が終端されたときの前記送信側復調器の出力に基づいて、前記送信側復調器のスプリアス特性を測定し、前記送信側復調器のスプリアス特性と、前記変調器の出力からフィードバックされた信号を前記送信側復調器が入力したときの前記送信側復調器の出力とに基づいて、前記変調器のスプリアス特性を測定し、
前記送信期間において、前記変調器のスプリアス特性の逆特性を表す補償信号を、前記変調器に入力される前の前記送信信号に加算する
ことを特徴とする請求項１に記載の通信装置。
【請求項３】
前記受信部は、
前記受信期間以外の期間で前記受信側歪補償部が前記復調器のスプリアス特性を測定するときに、前記復調器の入力を終端するパスに切り替え、前記受信期間であるときに、前記受信信号を前記復調器に出力するパスに切り替えるスイッチ、
を更に有し、
前記送信部は、
前記送信期間以外の期間で前記送信側歪補償部が前記送信側復調器のスプリアス特性を測定するときに、前記送信側復調器の入力を終端するパスに切り替え、前記送信期間以外の期間で前記送信側歪補償部が前記変調器のスプリアス特性を測定するときに、前記変調器の出力からフィードバックされた信号を前記送信側復調器に出力するパスに切り替えるスイッチ、
を更に有することを特徴とする請求項２に記載の通信装置。
【請求項４】
前記復調器は前記送信側復調器と共通化して使用され、
前記受信期間以外の期間で前記送信側歪補償部が前記送信側復調器のスプリアス特性を測定するときに、前記送信側復調器の入力を終端するパスに切り替え、前記受信期間であるときに、前記受信信号を前記送信側復調器に出力するパスに切り替え、前記送信期間以外の期間で前記送信側歪補償部が前記変調器のスプリアス特性を測定するときに、前記変調器の出力からフィードバックされた信号を前記送信側復調器に出力するパスに切り替えるスイッチ、
を更に有することを特徴とする請求項２に記載の通信装置。
【請求項５】
送信期間に送信信号を送信し、受信期間に受信信号を受信する通信装置が、
前記送信期間以外の期間において、前記送信信号を変調する変調器のスプリアス特性を測定し、前記送信期間において、前記変調器のスプリアス特性の逆特性を表す補償信号を、前記変調器に入力される前の前記送信信号に加算し、
前記受信期間以外の期間において、前記受信信号を復調する復調器のスプリアス特性を測定し、前記受信期間において、前記復調器のスプリアス特性の逆特性を表す補償信号を、前記復調器から出力された前記受信信号に加算する
処理を実行することを特徴とする歪補償方法。
【発明の詳細な説明】
【技術分野】
【０００１】
本発明は、通信装置および歪補償方法に関する。
【背景技術】
【０００２】
ダイレクトコンバージョン方式を用いる通信装置が知られている。ダイレクトコンバージョン方式の通信装置は、ラジオ放送の受信機などで広く使われているスーパーヘテロダイン方式で中間周波数（ＩＦ）を０Ｈｚにしたような周波数構成であるため、Ｚｅｒｏ−ＩＦ方式とも呼ばれる。ダイレクトコンバージョン方式の通信装置は、スーパーヘテロダイン方式の通信装置と比べてＬＳＩ（Large-Scale  Integration）化がしやすいため、小型化、低消費電力化、低コスト化などのメリットがある。
【０００３】
ダイレクトコンバージョン方式の通信装置は、送信（ＴＸ）部と、受信（ＲＸ）部とを有している。ＴＸ部は、送信期間（ＴＸ期間）において、送信信号を無線信号として送信する。ＲＸ部は、受信期間（ＲＸ期間）において、無線信号を受信信号として受信する。
【０００４】
例えば、ＴＸ部では、送信信号を無線信号として送信するときに、変調器により送信信号を変調する。一般的に、変調器はローカル発振器と周波数変換器とを有している。このため、ダイレクトコンバージョン方式の通信装置では、変調器のローカル発振器の直流（ＤＣ）リークがスプリアス（不要波）となってしまう。ＤＣリークはＤＣオフセットとも呼ばれる。
【０００５】
また、ＲＸ部では、無線信号を受信信号として受信したときに、復調器により受信信号を復調する。この場合でも、復調器は、変調器と同様に、ローカル発振器と周波数変換器とを有しているため、ダイレクトコンバージョン方式の通信装置では、復調器のローカル発振器のＤＣリークがスプリアスとなってしまう。
【先行技術文献】
【特許文献】
【０００６】
【特許文献１】特開平７−７４７９０号公報
【特許文献２】特開２００６−１３６０２８号公報
【特許文献３】特開２００８−９８７８１号公報
【特許文献４】特開２００９−２５３５１８号公報
【発明の概要】
【発明が解決しようとする課題】
【０００７】
図９は、従来技術におけるＤＣ位置とキャリア配置との関係を示す図である。図９において、横軸は周波数を表し、縦軸はエラーベクトル振幅（ＥＶＭ）を表している。図９に示すように、例えば無線信号にＤＣリークが重畳された場合、無線信号の性能が劣化してしまう。
【０００８】
図１０は、従来技術におけるハイパスフィルタとキャリア配置との関係を示す図である。図１０において、横軸は周波数を表し、縦軸はＥＶＭを表している。例えば、スプリアス（ＤＣリーク）はハイパスフィルタにより減衰させることができる。しかし、図１０に示すように、無線信号がハイパスフィルタによって減衰されないように、キャリアが配置されることになる。このため、ハイパスフィルタなどのフィルタを用いる場合、変調器と復調器との周波数帯域を最大限に使用できなくなってしまう。
【０００９】
本願に開示の技術は、フィルタを用いることなく、スプリアスによって生じる信号の歪みを補償する。
【課題を解決するための手段】
【００１０】
１つの態様では、通信装置は、送信期間に送信信号を送信する送信部と、受信期間に受信信号を受信する受信部と、を有している。送信部は、送信信号を変調する変調器と、送信側歪補償部と、を有している。送信側歪補償部は、送信期間以外の期間において、変調器のスプリアス特性を測定し、送信期間において、変調器のスプリアス特性の逆特性を表す補償信号を、変調器に入力される前の送信信号に加算する。受信部は、受信信号を復調する復調器と、受信側歪補償部と、を有している。受信側歪補償部は、受信期間以外の期間において、復調器のスプリアス特性を測定し、受信期間において、復調器のスプリアス特性の逆特性を表す補償信号を、復調器から出力された受信信号に加算する。
【発明の効果】
【００１１】
１つの側面では、フィルタを用いることなく、スプリアスによって生じる信号の歪みを補償することができる。
【図面の簡単な説明】
【００１２】
【図１】図１は、実施例１に係る通信装置の一例を示す図である。
【図２】図２は、実施例１に係る通信装置のＲＸ部の動作の一例を示すタイミングチャートである。
【図３】図３は、実施例１に係る通信装置のＲＸ部の動作の一例を示すフローチャートである。
【図４】図４は、実施例１に係る通信装置のＴＸ部の動作の一例を示すタイミングチャートである。
【図５】図５は、実施例１に係る通信装置のＴＸ部の動作の一例を示すフローチャートである。
【図６】図６は、実施例１に係る通信装置の効果を説明する図である。
【図７】図７は、実施例２に係る通信装置の一例を示す図である。
【図８】図８は、通信装置のハードウェア構成の一例を示す図である。
【図９】図９は、従来技術におけるＤＣ位置とキャリア配置との関係を示す図である。
【図１０】図１０は、従来技術におけるハイパスフィルタとキャリア配置との関係を示す図である。
【発明を実施するための形態】
【００１３】
以下に、本願の開示する通信装置および歪補償方法の実施例を、図面に基づいて詳細に説明する。なお、以下の実施例は開示の技術を限定するものではない。
【実施例１】
【００１４】
［通信装置の構成］
図１は、実施例１に係る通信装置１００の一例を示すブロック図である。通信装置１００は、デジタル信号処理部１０１と、アナログ回路１０２とを有している。
【００１５】
アナログ回路１０２は、デジタルアナログ変換器（ＤＡＣ）１２と、変調器１０５と、パワーアンプ（ＰＡ）１５と、カプラ１６と、サーキュレータ３と、バンドパスフィルタ（ＢＰＦ）４と、アンテナ５とを有している。変調器１０５は、ローカル発振器（ＬＯ）１３と、周波数変換器１４とを有している。
【００１６】
また、アナログ回路１０２は、アナログデジタル変換器（ＡＤＣ）２２と、復調器１０６と、スイッチ（ＳＷ）２５とを有している。復調器１０６は、ＬＯ２３と、周波数変換器２４とを有している。
【００１７】
また、アナログ回路１０２は、ＡＤＣ３２と、復調器１０７と、ＳＷ３５と、ローノイズアンプ（ＬＮＡ）３６と、アイソレータ（ＩＳＯ）３７とを有している。復調器１０７は、ＬＯ３３と、周波数変換器３４とを有している。
【００１８】
デジタル信号処理部１０１は、ベースバンド信号処理部１と、タイミングコントローラ２と、送信（ＴＸ）側歪補償部１０３と、受信（ＲＸ）側歪補償部１０４とを有している。タイミングコントローラ２は、通信装置１００全体を制御する制御部である。ＴＸ側歪補償部１０３は、加算器１１、２１と、直流（ＤＣ）リーク測定部２０とを有している。ＲＸ側歪補償部１０４は、加算器３１と、ＤＣリーク測定部３０とを有している。
【００１９】
通信装置１００は、ダイレクトコンバージョン方式の通信装置であり、更に、送信（ＴＸ）部と、受信（ＲＸ）部とを有している。ＴＸ部は、送信期間（ＴＸ期間）において、送信信号を無線信号として送信し、ＲＸ部は、受信期間（ＲＸ期間）において、無線信号を受信信号として受信する。そのため、通信装置１００には、ＲＸ期間と、ＴＸ期間と、ＴＸ期間とＲＸ期間とが切り替わるときの切り替え時間（ＧＡＰ期間）とが設けられている。
【００２０】
［ＲＸ部の構成］
ＲＸ部のデジタル信号処理部１０１には、ベースバンド信号処理部１、タイミングコントローラ２、ＲＸ側歪補償部１０４（加算器３１、ＤＣリーク測定部３０）が設けられている。また、ＲＸ部のアナログ回路１０２には、ＡＤＣ３２、復調器１０７（ＬＯ３３、周波数変換器３４）、ＳＷ３５、ＬＮＡ３６、ＩＳＯ３７、サーキュレータ３、ＢＰＦ４、アンテナ５が設けられている。
【００２１】
まず、ＲＸ部のアナログ回路１０２について説明する。
【００２２】
アンテナ５は、高周波の無線信号を受信する。
【００２３】
ＢＰＦ４は、アンテナ５で受信された無線信号を受け取る。ＢＰＦ４は、無線信号に対して特定の周波数帯域の信号を通過させ、それ以外の周波数帯域の信号を減衰させる。ＢＰＦ４を通過した信号は、受信信号として、サーキュレータ３、ＩＳＯ３７を介してＬＮＡ３６に出力される。
【００２４】
ＬＮＡ３６は、ＢＰＦ４からサーキュレータ３、ＩＳＯ３７を介して出力された受信信号を受け取る。ＬＮＡ３６は、受け取った受信信号の電力を増幅し、ＳＷ３５に出力する。
【００２５】
ＳＷ３５は、２つの入力と１つの出力とを有している。ＳＷ３５の一方の入力は、受信パスＰＲＸ１を介してＬＮＡ３６の出力に接続されている。ＳＷ３５の他方の入力は、終端パスＰＲＸ２を介して終端（接地）されている。ＳＷ３５は、制御信号に応じてパスを切り替える。制御信号は第１の値または第２の値を表す。
【００２６】
ＳＷ３５は、ＲＸ部が受信する受信信号と、ＲＸ部のアナログ回路１０２の復調器１０７で発生するＤＣリークとを区別するために設けられている。
【００２７】
例えば、ＲＸ期間において、ＳＷ３５には、第２の値を表す制御信号が供給される。この場合、ＳＷ３５は、受信パスＰＲＸ１を選択する。このとき、無線信号は、受信信号として、アンテナ５からＢＰＦ４、サーキュレータ３、ＩＳＯ３７、ＬＮＡ３６、受信パスＰＲＸ１、ＳＷ３５、復調器１０７、ＡＤＣ３２を介してデジタル信号処理部１０１に出力される。
【００２８】
例えば、ＴＸ期間およびＧＡＰ期間において、ＳＷ３５には、第１の値を表す制御信号が供給される。この場合、ＳＷ３５は、終端パスＰＲＸ２を選択する。このとき、終端パスＰＲＸ２により入力が終端された復調器１０７からＡＤＣ３２を介してデジタル信号処理部１０１に信号が出力される。
【００２９】
ＲＸ部のデジタル信号処理部１０１のＲＸ側歪補償部１０４が、ＴＸ期間およびＧＡＰ期間で、アナログ回路１０２から出力された信号を監視することにより、復調器１０７のＤＣリーク特性は、ＲＸ期間でＲＸ側歪補償部１０４により補償される。
【００３０】
復調器１０７は、以下に示す復調処理を行なう。例えば、復調処理において、ＬＯ３３は、基準搬送波信号を周波数変換器３４に供給する。周波数変換器３４は、ＳＷ３５から出力された信号を受け取る。周波数変換器３４は、受け取った信号と、ＬＯ３３から供給される基準搬送波信号とを乗算することにより、周波数変換された信号を生成する。周波数変換器３４は、生成した信号をＡＤＣ３２に出力する。
【００３１】
ＡＤＣ３２は、復調器１０７から出力された信号をデジタル信号に変換することにより、Ｉチャネルの信号とＱチャネルの信号とが直交したベースバンド信号を生成する。ＡＤＣ３２は、生成したベースバンド信号を受信信号としてデジタル信号処理部１０１に出力する。
【００３２】
次に、ＲＸ部のデジタル信号処理部１０１について説明する。
【００３３】
タイミングコントローラ２は、第１の値または第２の値を表す制御信号を出力する。例えば、タイミングコントローラ２は、ＴＸ期間およびＧＡＰ期間において、第１の値を表す制御信号をＳＷ３５およびＲＸ側歪補償部１０４に出力する。また、タイミングコントローラ２は、ＲＸ期間において、第２の値を表す制御信号をＳＷ３５およびＲＸ側歪補償部１０４に出力する。
【００３４】
ＲＸ側歪補償部１０４において、ＤＣリーク測定部３０は、次の処理を行なう。
【００３５】
例えば、ＴＸ期間およびＧＡＰ期間において、ＤＣリーク測定部３０には、第１の値を表す制御信号が供給される。この場合、ＤＣリーク測定部３０は、アナログ回路１０２から出力された信号に基づいて、ＲＸ部の復調器１０７で発生するＤＣリークのレベル（振幅）および位相を表すＤＣリーク特性を測定し、測定したＤＣリーク特性の逆特性を算出する。
【００３６】
例えば、その後のＲＸ期間において、ＤＣリーク測定部３０には、第２の値を表す制御信号が供給される。この場合、ＤＣリーク測定部３０は、算出した復調器１０７のＤＣリーク特性の逆特性を表す補償信号ＲＸＤＣ−ＯＦＦＳＥＴを加算器３１に出力する。
【００３７】
上記ＲＸ期間において、加算器３１は、アナログ回路１０２から出力された受信信号（ベースバンド信号）を受け取る。また、加算器３１は、補償信号ＲＸＤＣ−ＯＦＦＳＥＴをＤＣリーク測定部３０から受け取る。そして、加算器３１は、アナログ回路１０２から出力された受信信号に、ＤＣリーク測定部３０からの補償信号ＲＸＤＣ−ＯＦＦＳＥＴを加算する。その結果、ＲＸ部の復調器１０７のＤＣリーク特性が補償される。受信信号に補償信号ＲＸＤＣ−ＯＦＦＳＥＴが加算された受信信号は、ベースバンド信号処理部１に出力される。
【００３８】
ベースバンド信号処理部１は、加算器３１から出力された受信信号（ベースバンド信号）を受け取り、ベースバンド信号からＩチャネルの信号とＱチャネルの信号とを得る。
【００３９】
［ＴＸ部の構成］
ＴＸ部のデジタル信号処理部１０１には、ベースバンド信号処理部１、タイミングコントローラ２、ＴＸ側歪補償部１０３（加算器１１、２１、ＤＣリーク測定部２０）が設けられている。また、ＴＸ部のアナログ回路１０２には、ＤＡＣ１２、変調器１０５（ＬＯ１３、周波数変換器１４）、ＰＡ１５、カプラ１６、サーキュレータ３、ＢＰＦ４、アンテナ５が設けられている。また、ＴＸ部のアナログ回路１０２には、ＡＤＣ２２、復調器１０６（ＬＯ２３、周波数変換器２４）、ＳＷ２５が設けられている。
【００４０】
まず、ＴＸ部のデジタル信号処理部１０１について説明する。
【００４１】
ベースバンド信号処理部１は、Ｉチャネルの信号とＱチャネルの信号とが直交したベースバンド信号を生成する。ベースバンド信号処理部１は、生成したベースバンド信号を送信信号としてＴＸ側歪補償部１０３に出力する。
【００４２】
タイミングコントローラ２は、第１の値または第２の値を表す制御信号を出力する。例えば、タイミングコントローラ２は、ＴＸ期間、および、ＴＸ期間からＲＸ期間に切り替わるときの切り替え時間（ＧＡＰ期間）において、第１の値を表す制御信号をＳＷ２５およびＴＸ側歪補償部１０３に出力する。また、タイミングコントローラ２は、ＲＸ期間、および、ＲＸ期間からＴＸ期間に切り替わるときの切り替え時間（ＧＡＰ期間）において、第２の値を表す制御信号をＳＷ２５およびＴＸ側歪補償部１０３に出力する。
【００４３】
加算器１１は、ベースバンド信号処理部１から出力された送信信号（ベースバンド信号）を受け取る。加算器１１は、受け取った送信信号に後述の補償信号ＴＸＤＣ−ＯＦＦＳＥＴを加算し、アナログ回路１０２に出力する。
【００４４】
次に、ＴＸ部のアナログ回路１０２について説明する。
【００４５】
ＤＡＣ１２は、加算器１１から出力された送信信号（ベースバンド信号）を受け取る。ＤＡＣ１２は、受け取った送信信号をアナログ信号に変換し、変調器１０５に出力する。
【００４６】
変調器１０５は、以下に示す変調処理を行なう。例えば、変調処理において、ＬＯ１３は、基準搬送波信号を周波数変換器１４に供給する。周波数変換器１４は、ＤＡＣ１２から出力された信号を受け取る。周波数変換器１４は、受け取った信号と、ＬＯ１３から供給される基準搬送波信号とを乗算することにより、周波数変換された信号を生成する。周波数変換器１４は、生成した信号を送信信号としてＰＡ１５に出力する。
【００４７】
ＰＡ１５は、変調器１０５から出力された送信信号を受け取る。ＰＡ１５は、受け取った送信信号の電力を増幅し、カプラ１６に出力する。
【００４８】
カプラ１６は、ＰＡ１５から送信信号を受け取る。カプラ１６は、受け取った送信信号を、サーキュレータ３を介してＢＰＦ４に出力する。また、カプラ１６は、受け取った送信信号を、フィードバックパスＰＦＢ１を介してＳＷ２５に出力する。
【００４９】
ＢＰＦ４は、カプラ１６からサーキュレータ３を介して出力された送信信号を受け取る。ＢＰＦ４は、送信信号に対して特定の周波数帯域の信号を通過させ、それ以外の周波数帯域の信号を減衰させる。ＢＰＦ４を通過した信号は、無線信号として、アンテナ５から出力される。
【００５０】
ＳＷ２５は、２つの入力と１つの出力とを有している。ＳＷ２５の一方の入力は、フィードバックパスＰＦＢ１を介してカプラ１６の出力に接続されている。ＳＷ２５の他方の入力は、終端パスＰＦＢ２を介して終端（接地）されている。ＳＷ２５は、制御信号に応じてパスを切り替える。制御信号は第１の値または第２の値を表す。
【００５１】
ＳＷ２５は、ＴＸ部のアナログ回路１０２の変調器１０５で発生するＤＣリークと、ＴＸ部のアナログ回路１０２の復調器１０６で発生するＤＣリークとを区別するために設けられている。
【００５２】
例えば、ＲＸ期間、および、ＲＸ期間からＴＸ期間に切り替わるときの切り替え時間（ＧＡＰ期間）において、ＳＷ２５には、第２の値を表す制御信号が供給される。この場合、ＳＷ２５は、終端パスＰＦＢ２を選択する。このとき、終端パスＰＦＢ２により入力が終端された復調器１０６からＡＤＣ２２を介してデジタル信号処理部１０１に信号が出力される。
【００５３】
例えば、ＴＸ期間において、ＳＷ２５には、第１の値を表す制御信号が供給される。この場合、ＳＷ２５は、フィードバックパスＰＦＢ１を選択する。このとき、デジタル信号処理部１０１からＤＡＣ１２、変調器１０５、ＰＡ１５、カプラ１６、フィードバックパスＰＦＢ１、ＳＷ２５、復調器１０６、ＡＤＣ２２を介してデジタル信号処理部１０１に送信信号がフィードバックされる。
【００５４】
また、ＴＸ期間からＲＸ期間に切り替わるときの切り替え時間（ＧＡＰ期間）においても、ＳＷ２５には、第１の値を表す制御信号が供給される。このとき、変調器１０５からＰＡ１５、カプラ１６、フィードバックパスＰＦＢ１、ＳＷ２５、復調器１０６、ＡＤＣ２２を介してデジタル信号処理部１０１に信号が出力される。例えば、ＲＸ期間においてＰＡ１５の電源がオフしている場合、上記信号は、ＲＸ期間の後のＧＡＰ期間に出力されず、ＴＸ期間の後のＧＡＰ期間に出力される。
【００５５】
最初に、ＲＸ期間およびその後のＧＡＰ期間で、ＴＸ部のデジタル信号処理部１０１のＴＸ側歪補償部１０３がアナログ回路１０２から出力される信号を監視することにより、ＴＸ期間で、復調器１０６のＤＣリーク特性がＴＸ側歪補償部１０３により補償される。その後、ＴＸ期間の後のＧＡＰ期間で、ＴＸ部のデジタル信号処理部１０１のＴＸ側歪補償部１０３がアナログ回路１０２から出力される信号を監視することにより、その次のＴＸ期間で、変調器１０５のＤＣリーク特性がＴＸ側歪補償部１０３により補償される。
【００５６】
復調器１０６は、以下に示す復調処理を行なう。例えば、復調処理において、ＬＯ２３は、基準搬送波信号を周波数変換器２４に供給する。周波数変換器２４は、ＳＷ２５から出力された信号を受け取る。周波数変換器２４は、受け取った信号と、ＬＯ２３から供給される基準搬送波信号とを乗算することにより、周波数変換された信号を生成する。周波数変換器２４は、生成した信号をＡＤＣ２２に出力する。
【００５７】
ＡＤＣ２２は、復調器１０６から出力された信号をデジタル信号に変換することにより、Ｉチャネルの信号とＱチャネルの信号とが直交したベースバンド信号を生成する。ＡＤＣ２２は、生成したベースバンド信号を送信信号としてデジタル信号処理部１０１に出力する。
【００５８】
次に、ＴＸ部のデジタル信号処理部１０１のＴＸ側歪補償部１０３について説明する。
【００５９】
まず、ＤＣリーク測定部２０は、次の処理を行なう。
【００６０】
例えば、ＲＸ期間、および、ＲＸ期間からＴＸ期間に切り替わるときの切り替え時間（ＧＡＰ期間）において、ＤＣリーク測定部２０には、第２の値を表す制御信号が供給される。この場合、ＤＣリーク測定部２０は、アナログ回路１０２から出力される信号に基づいて、ＴＸ部の復調器１０６で発生するＤＣリークのレベル（振幅）および位相を表すＤＣリーク特性を測定し、測定したＤＣリーク特性の逆特性を算出する。
【００６１】
例えば、上記ＧＡＰ期間の後のＴＸ期間において、ＤＣリーク測定部２０には、第１の値を表す制御信号が供給される。この場合、ＤＣリーク測定部２０は、算出した復調器１０６のＤＣリーク特性の逆特性を表す補償信号ＦＢＤＣ−ＯＦＦＳＥＴを加算器２１に出力する。
【００６２】
上記ＴＸ期間において、加算器２１は、アナログ回路１０２からフィードバックされた送信信号（ベースバンド信号）を受け取る。また、加算器２１は、補償信号ＦＢＤＣ−ＯＦＦＳＥＴをＤＣリーク測定部２０から受け取る。そして、加算器２１は、アナログ回路１０２からフィードバックされた送信信号に、ＤＣリーク測定部２０からの補償信号ＦＢＤＣ−ＯＦＦＳＥＴを加算する。その結果、ＴＸ部の復調器１０６のＤＣリーク特性が補償される。復調器１０６のＤＣリーク特性が補償された送信信号は、ベースバンド信号処理部１に出力される。
【００６３】
例えば、上記ＴＸ期間の後のＧＡＰ期間において、ＤＣリーク測定部２０に第１の値を表す制御信号が継続して供給される。この場合、ＤＣリーク測定部２０は、測定した復調器１０６のＤＣリーク特性と、アナログ回路１０２から出力される信号とに基づいて、ＴＸ部の変調器１０５で発生するＤＣリークのレベル（振幅）および位相を表すＤＣリーク特性を測定する。そして、ＤＣリーク測定部２０は、測定したＤＣリーク特性の逆特性を算出する。
【００６４】
例えば、次のＴＸ期間において、ＤＣリーク測定部２０に、再度、第１の値を表す制御信号が供給される。この場合、ＤＣリーク測定部２０は、算出した変調器１０５のＤＣリーク特性の逆特性を表す補償信号ＴＸＤＣ−ＯＦＦＳＥＴを加算器１１に出力する。
【００６５】
上記ＴＸ期間において、加算器１１は、ベースバンド信号処理部１から出力された送信信号（ベースバンド信号）を受け取る。また、加算器１１は、補償信号ＴＸＤＣ−ＯＦＦＳＥＴをＤＣリーク測定部２０から受け取る。そして、加算器１１は、受け取った送信信号に補償信号ＴＸＤＣ−ＯＦＦＳＥＴを加算する。その結果、ＴＸ部の変調器１０５のＤＣリーク特性が補償される。ＴＸ部の変調器１０５のＤＣリーク特性が補償された送信信号は、アナログ回路１０２から出力される。すなわち、ＴＸ部の変調器１０５のＤＣリーク特性が補償された送信信号は、ＤＡＣ１２、変調器１０５、ＰＡ１５、カプラ１６、サーキュレータ３、ＢＰＦ４を介してアンテナ５から出力される。
【００６６】
［通信装置の動作例］
次に、実施例１に係る通信装置１００の動作について説明する。ここで、実施例１に係る通信装置１００の動作について、ＲＸ部の動作と、ＴＸ部の動作とに分けて説明する。
【００６７】
［ＲＸ部の動作］
図２は、実施例１に係る通信装置１００のＲＸ部の動作の一例を示すタイミングチャートである。図３は、実施例１に係る通信装置１００のＲＸ部の動作の一例を示すフローチャートである。
【００６８】
タイミングコントローラ２は、無線信号のフレームタイミングがＴＸ期間またはＧＡＰ期間であるか否かを判定する（図３のステップＳ１０１）。ここで、ＴＸ期間またはＧＡＰ期間ではない場合（図３のステップＳ１０１−Ｎｏ）はＲＸ期間である。
【００６９】
例えば、図２に示すように、時刻Ｔ１において、無線信号のフレームタイミングがＴＸ期間である（図３のステップＳ１０１−Ｙｅｓ）。この場合、タイミングコントローラ２は、第１の値を表す制御信号をＳＷ３５およびＲＸ側歪補償部１０４に出力する。ＳＷ３５は、第１の値を表す制御信号に応じて、終端パスＰＲＸ２を選択する（図３のステップＳ１０２）。
【００７０】
ＲＸ側歪補償部１０４において、ＤＣリーク測定部３０は、第１の値を表す制御信号に応じて、アナログ回路１０２から出力される信号を受け取る。上記信号は、終端パスＰＲＸ２により入力が終端された復調器１０７からＡＤＣ３２を介してデジタル信号処理部１０１に出力された信号である。ＤＣリーク測定部３０は、アナログ回路１０２から出力される信号に基づいて、ＲＸ部の復調器１０７で発生するＤＣリークのレベルおよび位相を表すＤＣリーク特性を測定する。そして、ＤＣリーク測定部３０は、補償信号ＲＸＤＣ−ＯＦＦＳＥＴを生成するために、測定したＤＣリーク特性の逆特性を算出する（図３のステップＳ１０３）。
【００７１】
図２に示すように、時刻Ｔ２において、無線信号のフレームタイミングがＴＸ期間からＧＡＰ期間に切り替わる。この場合、ＲＸ期間ではないため（図３のステップＳ１０４−Ｎｏ）、ステップＳ１０３が実行される。
【００７２】
図２に示すように、時刻Ｔ３において、無線信号のフレームタイミングがＧＡＰ期間からＲＸ期間に切り替わる（図３のステップＳ１０４−Ｙｅｓ）。この場合、タイミングコントローラ２は、第２の値を表す制御信号をＳＷ３５およびＲＸ側歪補償部１０４に出力する。ＳＷ３５は、第２の値を表す制御信号に応じて、受信パスＰＲＸ１を選択する（図３のステップＳ１０５）。また、ＲＸ側歪補償部１０４において、ＤＣリーク測定部３０は、第２の値を表す制御信号に応じて、算出した復調器１０７のＤＣリーク特性（レベルおよび位相）の逆特性を表す補償信号ＲＸＤＣ−ＯＦＦＳＥＴを加算器３１に出力する。
【００７３】
このとき、加算器３１は、アナログ回路１０２から出力された受信信号（ベースバンド信号）を受け取る。この受信信号は、アンテナ５からＢＰＦ４、サーキュレータ３、ＩＳＯ３７、ＬＮＡ３６、受信パスＰＲＸ１、ＳＷ３５、復調器１０７、ＡＤＣ３２を介してデジタル信号処理部１０１に出力された信号である。また、加算器３１は、補償信号ＲＸＤＣ−ＯＦＦＳＥＴをＤＣリーク測定部３０から受け取る。そして、ＲＸ部の復調器１０７で発生するＤＣリーク特性を補償するために、加算器３１は、アナログ回路１０２から出力された受信信号に、ＤＣリーク測定部３０からの補償信号ＲＸＤＣ−ＯＦＦＳＥＴを加算する（図３のステップＳ１０６）。受信信号に補償信号ＲＸＤＣ−ＯＦＦＳＥＴが加算された受信信号は、ベースバンド信号処理部１に出力される。
【００７４】
図２に示すように、時刻Ｔ４において、無線信号のフレームタイミングがＲＸ期間からＧＡＰ期間に切り替わる（図３のステップＳ１０１−Ｙｅｓ）。この場合、ステップＳ１０２以降が実行される。
【００７５】
［ＴＸ部の動作］
図４は、実施例１に係る通信装置１００のＴＸ部の動作の一例を示すタイミングチャートである。図５は、実施例１に係る通信装置１００のＴＸ部の動作の一例を示すフローチャートである。
【００７６】
タイミングコントローラ２は、無線信号のフレームタイミングがＲＸ期間またはＧＡＰ期間であるか否かを判定する（図５のステップＳ２０１）。ここで、ＲＸ期間またはＧＡＰ期間ではない場合（図５のステップＳ２０１−Ｎｏ）はＴＸ期間である。
【００７７】
例えば、図４に示すように、時刻Ｔ１１において、無線信号のフレームタイミングがＲＸ期間である（図５のステップＳ２０１−Ｙｅｓ）。この場合、タイミングコントローラ２は、第２の値を表す制御信号をＳＷ２５およびＴＸ側歪補償部１０３に出力する。ＳＷ２５は、第２の値を表す制御信号に応じて、終端パスＰＦＢ２を選択する（図５のステップＳ２０２）。
【００７８】
ＴＸ側歪補償部１０３において、ＤＣリーク測定部２０は、第２の値を表す制御信号に応じて、アナログ回路１０２から出力される信号を受け取る。上記信号は、終端パスＰＦＢ２により入力が終端された復調器１０６からＡＤＣ２２を介してデジタル信号処理部１０１に出力された信号である。ＤＣリーク測定部２０は、アナログ回路１０２から出力される信号に基づいて、ＴＸ部の復調器１０６で発生するＤＣリークのレベルおよび位相を表すＤＣリーク特性を測定する。そして、ＤＣリーク測定部２０は、補償信号ＦＢＤＣ−ＯＦＦＳＥＴを生成するために、測定したＤＣリーク特性の逆特性を算出する（図５のステップＳ２０３）。
【００７９】
図４に示すように、時刻Ｔ１２において、無線信号のフレームタイミングがＲＸ期間からＧＡＰ期間に切り替わる。この場合、ＴＸ期間ではないため（図５のステップＳ２０４−Ｎｏ）、ステップＳ２０３が実行される。
【００８０】
図４に示すように、時刻Ｔ１３において、無線信号のフレームタイミングがＧＡＰ期間からＴＸ期間に切り替わる（図５のステップＳ２０４−Ｙｅｓ）。この場合、タイミングコントローラ２は、第１の値を表す制御信号をＳＷ２５およびＴＸ側歪補償部１０３に出力する。ＳＷ２５は、第１の値を表す制御信号に応じて、フィードバックパスＰＦＢ１を選択する（図５のステップＳ２０５）。また、ＴＸ側歪補償部１０３において、ＤＣリーク測定部２０は、第１の値を表す制御信号に応じて、算出した復調器１０６のＤＣリーク特性（レベルおよび位相）の逆特性を表す補償信号ＦＢＤＣ−ＯＦＦＳＥＴを加算器２１に出力する。
【００８１】
このとき、加算器２１は、アナログ回路１０２から送信信号（ベースバンド信号）を受け取る。この送信信号は、デジタル信号処理部１０１からＤＡＣ１２、変調器１０５、ＰＡ１５、カプラ１６、フィードバックパスＰＦＢ１、ＳＷ２５、復調器１０６、ＡＤＣ２２を介してデジタル信号処理部１０１にフィードバックされた信号である。また、加算器２１は、補償信号ＦＢＤＣ−ＯＦＦＳＥＴをＤＣリーク測定部２０から受け取る。そして、ＴＸ部の復調器１０６で発生するＤＣリーク特性を補償するために、加算器２１は、アナログ回路１０２からフィードバックされた送信信号に、ＤＣリーク測定部２０からの補償信号ＦＢＤＣ−ＯＦＦＳＥＴを加算する（図５のステップＳ２０６）。復調器１０６のＤＣリーク特性が補償された送信信号は、ベースバンド信号処理部１に出力される。
【００８２】
ここで、復調器１０６で発生するＤＣリーク特性の補償が完了していない。例えば、ＤＣリーク特性が表すレベル（リークレベル）が閾値を超えている（図５のステップＳ２１１−Ｎｏ）。この場合、ステップＳ２０１以降が実行される。例えば、図４に示すように、時刻Ｔ１５およびＴ１６において、無線信号のフレームタイミングがＲＸおよびＧＡＰ期間であるときに、補償信号ＦＢＤＣ−ＯＦＦＳＥＴを生成するために、復調器１０６のＤＣリーク特性（レベルおよび位相）の逆特性が算出される。また、図４に示すように、時刻Ｔ１７において、無線信号のフレームタイミングがＴＸ期間であるときに、復調器１０６のＤＣリーク特性を補償するために、アナログ回路１０２からフィードバックされた送信信号に、補償信号ＦＢＤＣ−ＯＦＦＳＥＴが加算される。
【００８３】
一方、復調器１０６で発生するＤＣリーク特性の補償が完了している。例えば、ＤＣリーク特性が表すレベル（リークレベル）が閾値以下である（図５のステップＳ２１１−Ｙｅｓ）。この場合、タイミングコントローラ２は、無線信号のフレームタイミングとして、ＧＡＰ期間であるか否かを判定する（図５のステップＳ２１２）。ここで、時刻Ｔ１４になっていない場合、ＧＡＰ期間ではなく（図５のステップＳ２１２−Ｎｏ）、まだＴＸ期間である。
【００８４】
例えば、図４に示すように、時刻Ｔ１４になった場合、無線信号のフレームタイミングがＴＸ期間からＧＡＰ期間に切り替わる（図５のステップＳ２１２−Ｙｅｓ）。この場合、タイミングコントローラ２は、第１の値を表す制御信号を継続してＳＷ２５およびＴＸ側歪補償部１０３に出力している。また、ＳＷ２５は、第１の値を表す制御信号に応じて、フィードバックパスＰＦＢ１を選択している。
【００８５】
また、ＴＸ側歪補償部１０３において、ＤＣリーク測定部２０は、第１の値を表す制御信号に応じて、アナログ回路１０２から出力される信号を受け取る。上記信号は、変調器１０５からＰＡ１５、カプラ１６、フィードバックパスＰＦＢ１、ＳＷ２５、復調器１０６、ＡＤＣ２２を介してデジタル信号処理部１０１に出力された信号である。ＤＣリーク測定部２０は、測定した復調器１０６のＤＣリーク特性と、アナログ回路１０２から出力される信号とに基づいて、ＴＸ部の変調器１０５で発生するＤＣリークのレベルおよび位相を表すＤＣリーク特性を測定する。そして、ＤＣリーク測定部２０は、測定したＤＣリーク特性の逆特性を算出する（図５のステップＳ２１３）。
【００８６】
図４に示すように、時刻Ｔ１５において、無線信号のフレームタイミングがＧＡＰ期間からＲＸ期間に切り替わり、時刻Ｔ１６において、無線信号のフレームタイミングがＲＸ期間からＧＡＰ期間に切り替わる。すなわち、無線信号のフレームタイミングがＴＸ期間ではない（図５のステップＳ２１４−Ｎｏ）。
【００８７】
図４に示すように、時刻Ｔ１７において、無線信号のフレームタイミングがＧＡＰ期間からＴＸ期間に切り替わる（図５のステップＳ２１４−Ｙｅｓ）。この場合、タイミングコントローラ２は、第１の値を表す制御信号をＳＷ２５およびＴＸ側歪補償部１０３に出力する。このとき、ＴＸ側歪補償部１０３において、ＤＣリーク測定部２０は、第１の値を表す制御信号に応じて、算出した変調器１０５のＤＣリーク特性の逆特性を表す補償信号ＴＸＤＣ−ＯＦＦＳＥＴを加算器１１に出力する。
【００８８】
また、加算器１１は、ベースバンド信号処理部１から出力された送信信号（ベースバンド信号）を受け取る。また、加算器１１は、補償信号ＴＸＤＣ−ＯＦＦＳＥＴをＤＣリーク測定部２０から受け取る。そして、ＴＸ部の変調器１０５で発生するＤＣリーク特性を補償するために、加算器１１は、受け取った送信信号に補償信号ＴＸＤＣ−ＯＦＦＳＥＴを加算する（図５のステップＳ２１５）。ＴＸ部の変調器１０５のＤＣリーク特性が補償された送信信号は、アナログ回路１０２から出力される。すなわち、ＴＸ部の変調器１０５のＤＣリーク特性が補償された送信信号は、ＤＡＣ１２、変調器１０５、ＰＡ１５、カプラ１６、サーキュレータ３、ＢＰＦ４を介してアンテナ５から出力される。
【００８９】
［実施例の効果］
以上の説明により、実施例１に係る通信装置１００は、送信期間（ＴＸ期間）に送信信号を送信する送信部（ＴＸ部）と、受信期間（ＲＸ期間）に受信信号を受信する受信部（ＲＸ部）とを有している。ＴＸ部は、送信信号を変調する変調器１０５と、送信側歪補償部（ＴＸ側歪補償部１０３）とを有している。ＴＸ側歪補償部１０３は、ＴＸ期間以外の期間（ＲＸ期間、ＧＡＰ期間）において、変調器１０５のスプリアス特性（ＤＣリーク特性）を測定し、ＴＸ期間において、変調器１０５のＤＣリーク特性の逆特性を表す補償信号ＴＸＤＣ−ＯＦＦＳＥＴを、変調器１０５に入力される前の送信信号に加算する。ＲＸ部は、受信信号を復調する復調器１０７と、受信側歪補償部（ＲＸ側歪補償部１０４）とを有している。ＲＸ側歪補償部１０４は、ＲＸ期間以外の期間（ＴＸ期間、ＧＡＰ期間）において、復調器１０７のスプリアス特性（ＤＣリーク特性）を測定し、ＲＸ期間において、復調器１０７のＤＣリーク特性の逆特性を表す補償信号ＲＸＤＣ−ＯＦＦＳＥＴを、復調器１０７から出力された受信信号に加算する。
【００９０】
ここで、ＲＸ側歪補償部１０４は、ＲＸ期間以外の期間（ＴＸ期間、ＧＡＰ期間）において、復調器１０７の入力が終端されたときの復調器１０７の出力に基づいて、復調器１０７のＤＣリーク特性を測定する。そして、ＲＸ側歪補償部１０４は、ＲＸ期間において、復調器１０７のＤＣリーク特性の逆特性を表す補償信号ＲＸＤＣ−ＯＦＦＳＥＴを、復調器１０７から出力された受信信号に加算する。同様に、ＴＸ側歪補償部１０３により変調器１０５のスプリアス特性（ＤＣリーク特性）を測定する場合、送信信号を変調器１０５の出力からフィードバックさせればよい。この場合、ＴＸ部は、変調器１０５の出力からフィードバックされた信号を復調する送信側復調器（復調器１０６）を更に有し、変調器１０５の出力からフィードバックされた送信信号は、復調器１０６により復調される。しかしながら、復調器１０６は、変調器１０５と同様に、ローカル発振器と周波数変換器とを有している。そのため、図６に示すように、復調器１０６からベースバンド信号処理部１に出力される補正前の送信信号（図６の点線を参照）には、変調器１０５のＤＣリーク特性と復調器１０６のＤＣリーク特性とが合成されてしまう。
【００９１】
そこで、実施例１に係る通信装置１００では、ＴＸ側歪補償部１０３は、まず、ＴＸ期間以外の期間（ＲＸ期間、ＧＡＰ期間）において、復調器１０６の入力が終端されたときの復調器１０６の出力に基づいて、復調器１０６のＤＣリーク特性を測定する。次に、ＴＸ側歪補償部１０３は、ＴＸ期間以外の期間において、復調器１０６のＤＣリーク特性と、変調器１０５の出力からフィードバックされた信号を復調器１０６が入力したときの復調器１０６の出力とに基づいて、変調器１０５のＤＣリーク特性を測定する。そして、ＴＸ側歪補償部１０３は、ＴＸ期間において、変調器１０５のＤＣリーク特性の逆特性を表す補償信号ＴＸＤＣ−ＯＦＦＳＥＴを、変調器１０５に入力される前の送信信号に加算する。これにより、図６に示すように、復調器１０６からベースバンド信号処理部１に出力される補正後の送信信号（図６の実線を参照）において、変調器１０５のＤＣリーク特性と復調器１０６のＤＣリーク特性とが補正前のそれと比べて減衰している。
【００９２】
このように、実施例１に係る通信装置１００では、ハイパスフィルタなどのフィルタを用いることなく、スプリアス（ＤＣリーク）によって生じる送信信号の歪みを補償することができる。このため、変調器１０５と復調器１０６との周波数帯域を最大限に使用することができる。また、スプリアスは温度により急激に変化するが、実施例１に係る通信装置１００では、ＴＸ期間以外の期間（ＲＸ期間、ＧＡＰ期間）とＴＸ期間との切り替えにより、温度変化に追従して送信信号の歪みを補償することができる。
【００９３】
また、実施例１に係る通信装置１００は、ＲＸ部は、スイッチ（ＳＷ３５）を更に有している。ＳＷ３５は、ＲＸ期間以外の期間（ＴＸ期間、ＧＡＰ期間）でＲＸ側歪補償部１０４が復調器１０７のＤＣリーク特性を測定するときに、復調器１０７の入力を終端するパス（終端パスＰＲＸ２）に切り替える。一方、ＳＷ３５は、ＲＸ期間であるときに、受信信号を復調器１０７に出力するパス（受信パスＰＲＸ１）に切り替える。また、ＴＸ部は、スイッチ（ＳＷ２５）を更に有している。ＳＷ２５は、ＴＸ期間以外の期間（ＲＸ期間、ＧＡＰ期間）でＴＸ側歪補償部１０３が復調器１０６のＤＣリーク特性を測定するときに、復調器１０６の入力を終端するパス（終端パスＰＦＢ２）に切り替える。一方、ＳＷ２５は、ＴＸ期間以外の期間（ＧＡＰ期間）でＴＸ側歪補償部１０３が変調器１０５のＤＣリーク特性を測定するときに、フィードバックパスＰＦＢ１に切り替える。フィードバックパスＰＦＢ１は、変調器１０５の出力からフィードバックされた送信信号を復調器１０６に出力するパスである。
【００９４】
このように、実施例１に係る通信装置１００では、ＳＷ３５を用いることにより、ＲＸ部が受信する受信信号と、ＲＸ部のアナログ回路１０２の復調器１０７で発生するＤＣリークとを区別することができる。また、実施例１に係る通信装置１００では、ＳＷ２５を用いることにより、ＴＸ部のアナログ回路１０２の変調器１０５で発生するＤＣリークと、ＴＸ部のアナログ回路１０２の復調器１０６で発生するＤＣリークとを区別することができる。
【００９５】
ここで、実施例１に係る通信装置１００において、ＲＸ部とＴＸ部とでアンテナ５を共有しているが、これに限定されない。例えば、ＲＸ部、ＴＸ部の各々にアンテナ５が設けられてもよい。
【００９６】
また、実施例１に係る通信装置１００において、ＳＷを設けているが、これに限定されない。例えば、ＳＷ３５を削除し、ＲＸ部の復調器１０７の入力を終端するときに、ＬＮＡ３６の電源をオフしてもよい。
【００９７】
また、本実施例の通信装置１００において、ＲＸ部、ＴＸ部にそれぞれＳＷ３５、ＳＷ２５が設けられているが、ＳＷを共通化してもよい。この場合の実施例を実施例２として以下に説明する。なお、実施例２では、実施例１と同一の構成には同一符号を付すことで、その重複する構成及び動作の説明については省略する。
【実施例２】
【００９８】
図７は、実施例２に係る通信装置１００の一例を示す図である。実施例２に係る通信装置１００において、ベースバンド信号処理部１、タイミングコントローラ２、加算器２１、ＤＣリーク測定部２０、ＡＤＣ２２、復調器１０６（ＬＯ２３、周波数変換器２４）、ＳＷ２５は、ＲＸ部とＴＸ部とで共通化されている。
【００９９】
この場合、ＳＷ２５は、３つの入力と１つの出力とを有している。ＳＷ２５の第１の入力は、フィードバックパスＰＦＢ１を介してカプラ１６の出力に接続されている。ＳＷ２５の第２の入力は、受信パスＰＲＸ１を介してＬＮＡ３６の出力に接続されている。ＳＷ２５の第３の入力は、終端パスＰＦＢ２（または終端パスＰＲＸ２でもよい）を介して終端（接地）されている。
【０１００】
例えば、タイミングコントローラ２は、ＲＸ期間以外の期間（ＴＸ期間、ＧＡＰ期間）でＴＸ側歪補償部１０３が復調器１０６のＤＣリーク特性を測定するときに、終端パスＰＲＸ２を選択するための制御信号をＳＷ２５に出力する。
【０１０１】
例えば、タイミングコントローラ２は、ＲＸ期間であるときに、受信パスＰＲＸ１を選択するための制御信号をＳＷ２５に出力する。
【０１０２】
例えば、タイミングコントローラ２は、ＴＸ期間以外の期間（ＧＡＰ期間）でＴＸ側歪補償部１０３が変調器１０５のＤＣリーク特性を測定するときや、ＴＸ期間であるときに、フィードバックパスＰＦＢ１を選択するための制御信号をＳＷ２５に出力する。
【０１０３】
以上の説明により、実施例２に係る通信装置１００は、３入力のスイッチ（ＳＷ２５）を有している。この場合、復調器１０７は復調器１０６と共通化して使用される。ＳＷ２５は、ＲＸ期間以外の期間（ＴＸ期間、ＧＡＰ期間）でＴＸ側歪補償部１０３が復調器１０６のＤＣリーク特性を測定するときに、復調器１０６の入力を終端するパス（終端パスＰＲＸ２）に切り替える。また、ＳＷ２５は、ＲＸ期間であるときに、受信信号を復調器１０６に出力するパス（受信パスＰＲＸ１）に切り替える。また、ＳＷ２５は、ＴＸ期間以外の期間（ＧＡＰ期間）でＴＸ側歪補償部１０３が変調器１０５のＤＣリーク特性を測定するときに、フィードバックパスＰＦＢ１に切り替える。フィードバックパスＰＦＢ１は、変調器１０５の出力からフィードバックされた送信信号を復調器１０６に出力するパスである。これにより、実施例２に係る通信装置１００は、実施例１の効果に加えて、ＴＸ部とＲＸ部とで復調器１０６を共通化して使用することができる。
【０１０４】
［他の実施例］
実施例１、２で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１０５】
さらに、各装置で行われる各種処理は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【０１０６】
実施例１、２の通信装置１００は、例えば、次のようなハードウェア構成により実現することができる。
【０１０７】
図８は、通信装置２００のハードウェア構成の一例を示す図である。通信装置２００は、プロセッサ２０１と、メモリ２０２と、アナログ回路２０３とを有している。プロセッサ２０１の一例としては、ＣＰＵ、ＤＳＰ（Digital  Signal  Processor）、ＦＰＧＡ（Field  Programmable  Gate  Array）等が挙げられる。また、メモリ２０２の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。
【０１０８】
そして、実施例１、２の通信装置１００で行われる各種処理は、不揮発性記憶媒体などの各種メモリに格納されたプログラムをプロセッサで実行することによって実現されてもよい。すなわち、デジタル信号処理部１０１によって実行される各処理に対応するプログラムがメモリ２０２に記録され、各プログラムがプロセッサ２０１で実行されてもよい。また、アナログ回路１０２は、アナログ回路２０３によって実現される。
【０１０９】
なお、ここでは、実施例１、２の通信装置１００で行われる各種処理がプロセッサ２０１によって実行されるものとしたが、これに限定されるものではなく、複数のプロセッサによって実行されてもよい。
【符号の説明】
【０１１０】
１  ベースバンド信号処理部
２  タイミングコントローラ
３  サーキュレータ
４  バンドパスフィルタ（ＢＰＦ）
５  アンテナ
１１、２１、３１  加算器
１２  デジタルアナログ変換器（ＤＡＣ）
１３、２３、３３  ローカル発振器（ＬＯ）
１４、２４、３４  周波数変換器
１５  パワーアンプ（ＰＡ）
１６  カプラ
２０、３０  ＤＣリーク測定部
２２、３２  アナログデジタル変換器（ＡＤＣ）
２５、３５  スイッチ（ＳＷ）
３６  ローノイズアンプ（ＬＮＡ）
３７  アイソレータ（ＩＳＯ）
１００  通信装置
１０１  デジタル信号処理部
１０２  アナログ回路
１０３  送信（ＴＸ）側歪補償部
１０４  受信（ＲＸ）側歪補償部
１０５  変調器
１０６、１０７  復調器
２００  通信装置
２０１  プロセッサ
２０２  メモリ
２０３  アナログ回路
ＦＢＤＣ−ＯＦＦＳＥＴ  補償信号
ＰＦＢ１  フィードバックパス
ＰＦＢ２  終端パス
ＰＲＸ１  受信パス
ＰＲＸ２  終端パス
ＲＸＤＣ−ＯＦＦＳＥＴ  補償信号
ＴＸＤＣ−ＯＦＦＳＥＴ  補償信号
【図１】
2018164183.tif 000003
【図２】
2018164183.tif 000004
【図３】
2018164183.tif 000005
【図４】
2018164183.tif 000006
【図５】
2018164183.tif 000007
【図６】
2018164183.tif 000008
【図７】
2018164183.tif 000009
【図８】
2018164183.tif 000010
【図９】
2018164183.tif 000011
【図１０】
2018164183.tif 000012